(57)【特許請求の範囲】
【請求項１】
底壁外周から周壁３を起立する容器本体１と、
上記容器本体上面を閉塞する第１頂壁６の上面へ凹部８を形成し、該凹部底壁９から起立する嵌合周壁１０が囲む第１頂壁部分にティシュペーパ類取出し口１３を開口した閉塞部材５と、
上記嵌合周壁１０へ嵌着させた内枠部２２と該内枠部との間に適当間隙を周設して上記凹部底壁の外周部上へ載置した外枠部２３とを、左右両部で板バネ２４，２４で一体連結して、その両板バネの弾性に抗して外枠部２３を上記凹部内で前進可能に形成した二重枠部材２１と、
上記凹部を形成する起立壁８ａ  の左右両部後方に、第２頂壁３３後端部の左右両部を軸止して、これ等両軸止部分を中心とする回動で上記二重枠部材上面を第２頂壁３３で開閉自在に閉塞し、かつ第２頂壁３３前部の左右方向中間部に、上記外枠部２３の前部２３ａ  後縁への指掛けを可能とする大切欠き３４を付形した蓋板３１とからなり、
上記外枠部左右両側面の後部に、押圧板部２７，２７を残して小切欠き２８，２８を設け、該小切欠き間へ蓋板後縁の左右両部から垂設した脚板３８，３８を挿入させ、
上記板バネ２４，２４の弾性に抗して外枠部２３を前進させたとき、上記外枠部の押圧板部２７，２７が脚板３８，３８を前方押出しすることで、上記軸止部分を中心として蓋板３１が開蓋可能に形成したことを特徴とするティシュペーパ類収納容器。
【請求項２】
蓋板前部の左右両側部下面から、前面下部に第１係合突条４２を有するフック４３，４３を垂下して、外枠部２３の前部２３ａ  後面に付設した第２係合突条４４，４４下面へ上記第１係合突条４２，４２を係合させると共に、
外枠部２３の左右両部上面と、蓋板３１の左右両側部下面とに第１、第２摺動突部２６，４１を、第１摺動突部２６，２６の前面へ第２摺動突部４１，４１の後面を接して、かつそれ等両面の少くとも一方を傾斜面として付設し、
又、第２頂壁３３下面で内枠部２２上面を気密に閉塞させておき、
外枠部２３を前方引出しすることで、第１摺動突部２６，２６が第２摺動突部４１，４１を介して第２頂壁３３を押上げ、該押上げにより第２係合突条４４から第１係合突条４２が外れた後、押圧板部２７，２７が脚板３８，３８を前方へ押出し可能に形成した
ことを特徴とする請求項１記載のティシュペーパ類収納容器。
【請求項３】
脚板３８，３８を弾性変形可能に形成すると共に、
上記軸止部分前方の凹部形成起立壁８ａ  部分と脚板３８，３８の下部外側面とに、蓋板開放時に係合して、蓋板開放状態を保持する係合手段を付設した
ことを特徴とする、請求項１又は２記載のティシュペーパ類収納容器。
【発明の詳細な説明】
【０００１】
【発明の属する技術分野】
本発明はティシュペーパないし該ティシュペーパ状物を収納するための収納容器に関する。
【０００２】
【従来の技術】
容器体上面を閉塞する蓋板に細長な透孔を穿設すると共に、該透孔を下面から合成樹脂製シートで閉塞し、又該シートの上記透孔内露出部分に、透孔長手方向に沿って切離し線を穿設し、該切離し線で形成した取出し口から、容器体内に多数折り畳んだティシュペーパ一端を突出させ、該突出部分を外方へ引出すと、次のティシュペーパの一枚一部が上記取出し口から外方へ突出するよう設けている。
【０００３】
【発明が解決しようとする課題】
上記従来の容器は、ティシュペーパの一部を常時外方へ露出しているから、例えば病人用等として、特に衛生面の考慮を要する場合は好ましくない。
【０００４】
本発明は主として医療等の分野で使用できるよう設けたものであり、請求項１記載の容器は、蓋板を設けて上記ペーパー部の収納が可能とすると共に、その蓋板の開閉も容易であるよう設けたものであり、請求項２記載の容器は、上記請求項１記載容器の解決課題のほか、上記ペーパー部収納室に気密性を持たせてペーパを清潔に保つことが可能であると共に上記蓋板開放操作が容易であるよう設けたものであり、更に請求項３記載の容器は、請求項１、又は２記載容器の解決課題を有するほか、開放された蓋板が不用意に、閉塞することがないよう設けたものである。
【０００５】
【課題を解決するための手段】
第１の手段として底壁外周から周壁３を起立する容器本体１と、
上記容器本体上面を閉塞する第１頂壁６の上面へ凹部８を形成し、該凹部底壁９から起立する嵌合周壁１０が囲む第１頂壁部分にティシュペーパ類取出し口１３を開口した閉塞部材５と、
【０００６】
上記嵌合周壁１０へ嵌着させた内枠部２２と該内枠部との間に適当間隙を周設して上記凹部底壁の外周部上へ載置した外枠部２３とを、左右両部で板バネ２４，２４で一体連結して、その両板バネの弾性に抗して外枠部２３を上記凹部内で前進可能に形成した二重枠部材２１と、
【０００７】
上記凹部を形成する起立壁８ａ  の左右両部後方に、第２頂壁３３後端部の左右両部を軸止して、これ等両軸止部分を中心とする回動で上記二重枠部材上面を第２頂壁３３で開閉自在に閉塞し、かつ第２頂壁３３前部の左右方向中間部に、上記外枠部２３の前部２３ａ  後縁への指掛けを可能とする大切欠き３４を付形した蓋板３１とからなり、
【０００８】
上記外枠部左右両側面の後部に、押圧板部２７，２７を残して小切欠き２８，２８を設け、該小切欠き間へ蓋板後縁の左右両部から垂設した脚板３８，３８を挿入させ、
【０００９】
上記板バネ２４，２４の弾性に抗して外枠部２３を前進させたとき、上記外枠部の押圧板部２７，２７が脚板３８，３８を前方押出しすることで、上記軸止部分を中心として蓋板３１が開蓋可能に形成した。
【００１０】
第２の手段として、上記第１の手段を有すると共に蓋板前部の左右両側部下面から、前面下部に第１係合突条４２を有するフック４３，４３を垂下して、外枠部２３の前部２３ａ  後面に付設した第２係合突条４４，４４下面へ上記第１係合突条４２，４２を係合させると共に、
【００１１】
外枠部２３の左右両部上面と、蓋板３１の左右両側部下面とに第１、第２摺動突部２６，４１を、第１摺動突部２６，２６の前面へ第２摺動突部４１，４１の後面を接して、かつそれ等両面の少くとも一方を傾斜面として付設し、
【００１２】
又、第２頂壁３３下面で内枠部２２上面を気密に閉塞させておき、
外枠部２３を前方引出しすることで、第１摺動突部２６，２６が第２摺動突部４１，４１を介して第２頂壁３３を押上げ、該押上げにより第２係合突条４４から第１係合突条４２が外れた後、押圧板部２７，２７が脚板３８，３８を前方へ押出可能に形成した。
【００１３】
第３の手段として、上記第１又は第２の手段を有すると共に脚板３８，３８を弾性変形可能に形成すると共に、
【００１４】
上記軸止部分前方の凹部形成起立壁８ａ  部分と脚板３８，３８の下部外側面とに、蓋板開放時に係合して、蓋板開放状態を保持する係合手段を付設した。
【００１５】
【発明の実施の形態】
１は容器本体で、四角形状の底壁２外縁から周壁３を起立する。
上記容器本体上部は閉塞部材５で閉塞している。該部材は、容器本体上面を第１頂壁６で閉塞し、該第１頂壁外縁から上記周壁３外面へ嵌合させて短周壁７を垂下する。第１頂壁６上面へは、大きく四角形状の浅い凹部８を形成し、又該凹部底壁９から図２が示すように円形の嵌合周壁１０を起立し、該嵌合周壁が囲む第１頂壁部分にはほぼ八角形状の透孔１１を穿設し、かつその各角部から切離し線１２を放射線状に穿設している。これ等透孔１１と切離し線１２とがティシュペーパ類取出し口１３を形成する。尚ティシュペーパ等の取出しを容易にするため、隣合う切離し線１２，１２間の凹部底壁部分は図２が示すように透孔１１に近づくにつれて次第に肉薄化するよう設け、上記ペーパ等の取出し時に弾性変形するよう設けている。凹部８の前部は図２が示すように中段部１４に形成してもよい。
【００１６】
上記凹部８内へは二重枠部材２１を装着している。該部材は、既述嵌合周壁１０へ嵌着させた内枠部２２と、該内枠部との間に適当間隙を周設して凹部底壁９の外周部上へ載置させた外枠部２３とを、左右両部で細長な板バネ２４，２４で一体に連結し、その板バネの弾性に抗して外枠部２３は凹部８内で前進可能に、又復元可能に形成している。該外枠部の前進は、外枠部の前部２３ａ  を前方へ引くことで可能とする。
【００１７】
内枠部２２一部の断面および外枠部２３後部の断面は、それぞれ開口部を下向きとしたコ字形状とし、内枠部は既述蓋体の嵌合周壁１０の内外両面へ嵌合させ、又外枠部の後部はそのまま凹部底壁の後方部分上へ載置している。外枠部の前部２３ａ  は該前部の後縁から垂下した垂直壁２５を凹部底壁９上へ載置し、該垂直壁上端から前方へ突出する外枠部上壁前部を既述中段部１４の後部上へ載置している。内枠部２２は外枠部２３よりも高く形成しており、又外枠部２３の左右両側部には第１摺動突部２６，２６を付設している。更に外枠部２３の左右両側面の後部に、図３のように押圧板部２７，２７を残して小切欠き２８，２８を設けている。
【００１８】
既述閉塞部材５の凹部形成起立壁８ａ  の左右両部後方には、蓋板３１後部の左右両側から突設したピン３２，３２を軸止する。該蓋板は既述二重枠部材２１上面を第２頂壁３３で開閉自在に閉塞し、かつ第２頂壁３３前部に、外枠部２３の前部２３ａ  後縁への指掛けを可能とする大切欠き３４を設けている。上記ピン３２，３２は、凹部形成起立壁８ａ  後端上部に図６が示すように上向き段部３５を介して小凹部３６，３６を設け、該小凹部の起立面に軸穴３７，３７を穿設して、上記ピン先端部を回動可能に嵌合させている。そのピン３２，３２は蓋板３１左右両側面の後端部から斜後下方へ垂設した脚板３８，３８の上部から突出してもよい。該脚板は既述二重枠部材２１の外枠部２３左右両側面後部に設けた小切欠き２８，２８内へ図３が示すように垂下し、外枠部２３前方引出しによって、図５のように脚板３８，３８が押圧板部２７で前方へ押出しされることで軸止部分を中心として蓋板３１が回動し、開蓋するよう設ける。脚板３８，３８の下端後部の外側面には小突子３９，３９を付設し、蓋板閉塞時にあっては図３が示すように既述凹部形成起立壁８ａ  の後部下方に縦設した溝４０，４０内へ係合して蓋板閉塞状態を保持し、又蓋板開蓋時には、図５が示すように、既述上向き段部３５の前部内縁へ係合して開蓋状態を保つよう設けている。上記小突子３９，３９と溝４０とが蓋板閉塞状態を保持する係合手段を、又小突子と上向き段部３５とが蓋板開放状態を保持する係合手段を、それぞれ形成する。
【００１９】
図１が示すように蓋板３１の左右両部内面の前後方向中間には、既述第１摺動突部２６，２６前面へ係合させる第２摺動突部４１，４１を付設しており、該係合状態から外枠部２３を前方へ引くことで、第１摺動突部２６，２６が第２摺動突部４１，４１を介して蓋板３１を押上げする公知の押上げ機構を採用している。図示例ではそれ等第１、第２摺動突部２６，４１を共に山形状に形成したが、必しもその必要はなく、少くとも第１摺動突部２６の前面か、ないしは第２摺動突部４１の後面の、いずれかを傾斜面とすれば足りる。
【００２０】
又蓋板３１前部の左右両側部下面から、前面下部に第１係合突条４２，４２を有するフック４３，４３を垂下し、蓋板閉塞時に、外枠部２３の前部２３ａ  後面に付設した第２係合突条４４，４４下面へ上記第１係合突条４２，４２を係合している。
【００２１】
既述脚板３８，３８と、第１、第２摺動突部２６，４１とフック４３，４３との関係は、外枠部２３前方引出しによって、まず第１摺動突部２６，２６が第２摺動突部４１，４１を介して蓋板３１を押上げ、該押上げによりフック４３の第１係合突条４２が第２係合突条４４から外れた後、外枠部２３の押圧板部２７，２７が脚板３８，３８を前方へ押圧し、該押圧によりピン３２，３２を中心として蓋板３１が開放するよう設ける。
【００２２】
該開放状態で小突子３９，３９が上向き段部３５，３５前縁へ係合して蓋板３１開放状態が保持される。外枠部２３の前方引出しを離すことで板バネ２４，２４が外枠部２３を弾性復元させることとなり、よって該状態から蓋板３１前部を前方へ引き、閉塞することが出来る。
上記各部材はそれぞれ合成樹脂材で一体成形している。
【００２３】
【発明の効果】
本発明は既述構成とするものであり、請求項１記載の容器は、容器本体１上面を閉塞する閉塞部材５の第１頂壁６上面へ凹部８を設け、該凹部の底壁９から起立した嵌合周壁１０に二重枠部材２１の内枠部２２を嵌合させ、該内枠部との間に適当間隙を周設して凹部底壁９の外周部上へ載置した外枠部２３と上記内枠部２２とを左右両部で板バネ２４，２４で一体に連結して該板バネの弾性に抗して外枠部２３を前進可能に形成し、又上記凹部８を形成する起立壁８ａ  の左右両部後方に、第２頂壁３３後端部の左右両部を軸止して、該軸止部分を中心とする回動で上記二重枠部材２１上面を第２頂壁３３で開閉自在に閉塞し、かつ第２頂壁３３前部に、外枠部２３の前部後縁への指掛けを可能とする大切欠き３４を形成し、更に外枠部２３の左右両側面後部に、押圧板部２７，２７を残して設けた小切欠き２８，２８内へ蓋板３１後縁の左右両部から垂設した脚板３８，３８を挿入して、外枠部２３の前進によって上記押圧板部２７，２７が脚板３８，３８  を前方へ押出しして蓋板３１が開蓋可能に形成したから、上記大切欠き３４を利用して外枠部２３の前部２３ａ  後縁を閉塞部材５に対して前方へ引くだけで蓋板３１を開蓋できることとなり、従って容器体を下方へ押下げることなく開蓋できるから、例えば病人が柔かい布団上で開蓋操作を行う場合にも容易に開蓋することが出来、又その外枠部２３は、板バネ２４，２４で閉塞部材５の凹部底壁９から起立する嵌合周壁１０へ嵌合させた内枠部２２と一体に左右両部で連結しているから、上記外枠部２３を前方へ引出した後、手を離せば自動的に復元し、該状態から蓋板３１を閉塞すればよく、その閉蓋も容易に行うことが出来る。
【００２４】
請求項２記載の容器は、上記請求項１記載の容器の効果を有すると共に、蓋板前部の左右両側部から垂下したフック４３，４３の第１係合突条４２を外枠部２３の前方枠部分後面の第２係合突条４４下面へ係合させ、かつ外枠部２３の左右両部上面と蓋板の左右両部下面とに第１、第２摺動突部２６，４１を第１摺動突部前面へ第２摺動突部の後面を接して付設し、更に第２頂壁３３下面で内枠部２２上面を気密に閉塞させて、外枠部２３を前方引出しすることで第１摺動突部２６，２６が第２摺動突部４１，４１を介して第２頂壁３３を押上げ、該押上げにより第１係合突条４２が第２係合突条４４から外れた後、押圧板部２７，２７が脚板３８，３８を前方へ押出し可能に形成したから、蓋板３１の閉塞を確実として容器内ティシュペーパ類を気密に保持できると共に、その蓋板閉塞が確実であるに拘らず、その閉蓋を容易に行うことが出来る。
【００２５】
請求項３記載の容器は、上記請求項１又は２記載容器の効果を有するほか、蓋板軸止部分前方の凹部形成起立壁８ａ  部分と脚板３８，３８の下部外面とに、蓋板開放時に係合して該蓋板開放状態を保持する係合手段を設けたから、蓋板開放状態で容器が傾く等にしても、そのため蓋板が倒れるようなことがなく、人為的に閉蓋操作を行わない限り開蓋状態を保つことが出来る便利があり、又脚板３８，３８は弾性変形可能としたから、上記開蓋状態からの閉蓋操作時、脚板の弾性変形で上記係合部分からの離脱を容易とすることが出来る。
【図面の簡単な説明】
【図１】開蓋状態で示す、本発明容器の斜視図である。
【図２】閉蓋状態で示す断面図である。
【図３】閉蓋時における要部拡大断面図である。
【図４】図３要部の平面図である。
【図５】図３状態から外枠部を前方引出しして、開蓋させた状態を示す、拡大断面図である。
【図６】要部の拡大斜視図である。
【符号の説明】
５…閉塞部材            ２１…二重枠部材
２２…内枠部                    ２３…外枠部
３１…蓋板                      ３８…脚板
【図１】
0003602651.tif 000002
【図２】
0003602651.tif 000003
【図３】
0003602651.tif 000004
【図４】
0003602651.tif 000005
【図５】
0003602651.tif 000006
【図６】
0003602651.tif 000007